(57)【特許請求の範囲】
【請求項１】
コンクリートポンプから供給配管内に吐出されたコンクリートを、ディストリビュータ本体に有する上部旋回体及びブームに沿わせた輸送管を通して打設するようにしてあるクローラ式ディストリビュータにおける上記ディストリビュータ本体の後方位置に、架台を設置し、該架台の上面部中心位置に、先端部を水平方向へ張り出させるようにしたアームの基端部を水平方向へ回動自在に支持させて、該アーム上に、接続用配管を保持させ、又、上記ディストリビュータ本体と架台との間に移動台を配置して、該移動台上に接続用配管を保持させ、且つ該移動台上の接続用配管の先端部をディストリビュータ本体の輸送管の基端部に、又、移動台上の接続用配管の基端部をアーム上の接続用配管の先端部に、それぞれ水平方向へ回動自在に連結し、更に、上記アーム上の接続用配管の基端部を、アームの回動中心上の位置にて供給配管の先端部に、水平方向へ回動自在に連結した構成を有することを特徴とするクローラ式ディストリビュータの接続用配管装置。
【請求項２】
架台の上面部に円形のレールを設け、且つ該レールの上面に係合させるライナ又は転動体をアームの中間部に取り付けた請求項１記載のクローラ式ディストリビュータの接続用配管装置。
【発明の詳細な説明】
【０００１】
【発明の属する技術分野】
本発明はダム工事等に用いられるクローラ式ディストリビュータのコンクリート輸送管をコンクリートポンプに接続するための接続用配管装置に関するものである。
【０００２】
【従来の技術】
たとえば、８０mm骨材の入ったダム用低スランプコンクリートの打設工事用の機械として、クローラクレーンをベースとしたディストリビュータがある。
【０００３】
かかるクローラ式ディストリビュータは、図３にその一例の概略を示す如く、口径２００mm程度の配管をコンクリートの輸送管１として用い、該輸送管１を、クローラクレーンをベースとしたディストリビュータ本体２の上部旋回体３から各段のブーム４に順次沿わせて支持させるように配し、上段ブーム４の先端に臨ませた輸送管１の先端に先端ホース５を接続し、且つ上記輸送管１の基端部１ａと、別置きのコンクリートポンプ７の供給配管８の先端部８ａとをゴムホース６により接続するようにしてある。
【０００４】
上記クローラ式ディストリビュータでは、別置きのコンクリートポンプ７から吐出されたコンクリートを供給配管８、ゴムホース６及び輸送管１を通し先端ホース５まで導き、先端ホース５から目的の場所へ打設するようにさせるが、この際、上部旋回体３によるブーム４の旋回操作に伴う輸送管１の基端部１ａとコンクリートポンプ７の供給配管８の先端部８ａとの間の位置ずれを、ゴムホース６の撓みで吸収させるようにしている。
【０００５】
【発明が解決しようとする課題】
ところが、従来では、上記ブーム４の旋回操作時にゴムホース６の動きを助けるために、クレーン等の別の揚重機を用いてゴムホース６を吊り上げる必要があり、又、上記ゴムホース６の可動範囲によってブーム４の旋回範囲が限定されるため、供給配管８の段取替えを頻繁に行う必要があり、更に、上記ゴムホース６は、摩耗し易いので頻繁に交換を行う必要があるが、高価であるためランニングコストが高くなる、等の問題がある。
【０００６】
そこで、本発明は、ブームの旋回操作に伴うコンクリート供給配管との位置ずれの問題を、揚重機によるゴムホースの吊り上げや、コンクリート供給用配管の段取替えを行うことなく巧みに解決し、打設作業の合理化及びランニングコストの低減化を図ることができるようなクローラ式ディストリビュータの接続用配管装置を提供しようとするものである。
【０００７】
【課題を解決するための手段】
本発明は、上記課題を解決するために、コンクリートポンプから供給配管内に吐出されたコンクリートを、ディストリビュータ本体に有する上部旋回体及びブームに沿わせた輸送管を通して打設するようにしてあるクローラ式ディストリビュータにおける上記ディストリビュータ本体の後方位置に、架台を設置し、該架台の上面部中心位置に、先端部を水平方向へ張り出させるようにしたアームの基端部を水平方向へ回動自在に支持させて、該アーム上に、接続用配管を保持させ、又、上記ディストリビュータ本体と架台との間に移動台を配置して、該移動台上に接続用配管を保持させ、且つ該移動台上の接続用配管の先端部をディストリビュータ本体の輸送管の基端部に、又、移動台上の接続用配管の基端部をアーム上の接続用配管の先端部に、それぞれ水平方向へ回動自在に連結し、更に、上記アーム上の接続用配管の基端部を、アームの回動中心上の位置にて供給配管の先端部に、水平方向へ回動自在に連結した構成とする。
【０００８】
上部旋回体を介してブームを旋回操作すると、アームと移動台の変位を介してアーム上の接続用配管と移動台上の接続用配管が追従変位させられるため、コンクリートポンプの供給配管と輸送管との間の位置ずれが吸収される。
【０００９】
又、架台の上面部に円形のレールを設け、且つ該レールの上面に係合させるライナ又は転動体をアームの中間部に取り付けた構成とすることにより、アームの回動変位が円滑且つ安定して行われる。
【００１０】
【発明の実施の形態】
以下、本発明の実施の形態を図面を参照して説明する。
【００１１】
図１及び図２は本発明の実施の一形態を示すもので、別置きのコンクリートポンプ７から供給配管８内に吐出されたコンクリートを輸送して、ディストリビュータ本体２の上部旋回体３からブーム４に沿わせた輸送管１を通し、輸送管１の先端ホース５よりコンクリートを打設できるようにしてあるクローラ式ディストリビュータにおいて、上記ディストリビュータ本体２を、ブーム４の旋回操作に伴うコンクリート供給配管８との位置ずれを吸収できるようにした接続用配管装置９を介してコンクリート供給配管８に接続させるようにする。
【００１２】
上記接続用配管装置９について詳述すると、ディストリビュータ本体２の後方位置に、上面部外周に円形のレール１０を備えた架台１１を設置して、該架台１１の上面部中心位置に設けた回転支軸１２に、先端部が架台１１より水平方向外方へ張り出すように配置したアーム１３の基端部を、水平方向へ回動自在に支持させ、且つ該アーム１３の中間部下面に取り付けたライナ１８を、上記レール１０の上面に当接配置して、アーム１３の水平方向の回動をガイドさせるようにし、更に、上記アーム１３の上に、該アーム１３に沿わせて接続用配管１４ａを保持させて、該接続用配管１４ａの先端部を下向きに湾曲させて配置すると共に、基端部を、下向きに湾曲させて上記回転支軸１２を通しコンクリート供給配管８の先端部８ａに、回転継手１５により水平方向へ回動自在に連結し、接続用配管１４ａをアーム１３と一体に変位させられるようにする。
【００１３】
又、上記ディストリビュータ本体２と架台１１との間の位置に、下面に適数個の自在キャスター１６を備えてなる細長い移動台１７を配置し、該移動台１７上に、移動台１７に沿わせて接続用配管１４ｂを保持させ、該接続用配管１４ｂの先端部となる一端部を上向きに湾曲させて、輸送管１の下向きに湾曲させた基端部１ａに、回転継手１５により水平方向へ回動自在に連結し、且つ上記接続用配管１４ｂの基端部となる他端部を上向きに湾曲させて、上記接続用配管１４ａの先端部に、回転継手１５により水平方向へ回動自在に連結し、接続用配管１４ｂをブーム４の変位に追従させられるようにする。
【００１４】
なお、１９は接続用配管保持部材、２０はアーム１３のカウンターウエイトを示す。
【００１５】
ディストリビュータ本体２のブーム４を前方へ向けているときは、上部旋回体３の後端部と架台１１との間の距離が最も短く、図２において実線で示す如く、接続用配管１４ａと１４ｂは適宜の角度に折り曲げられている。
【００１６】
上記の状態から上部旋回体３を介してブーム４を旋回させると、輸送管１の基端部１ａは図２の実線の位置から、たとえば、二点鎖線で示す如き位置へと水平に変位させられる。この場合、輸送管１の基端部１ａの位置は架台１１から離れることになるが、接続用配管１４ａを保持するアーム１３は回転支軸１２を支点に水平方向へ回動することができ、且つ接続用配管１４ｂを保持する移動台１７は自由に動けるため、折り曲げられていた接続用配管１４ａ，１４ｂは長手方向に展張されるように追従変位させられる。この際、アーム１３の荷重は、中間部下面に取り付けたライナ１８を介して架台１１上面のレール１０で受けられているため、アーム１３の回動は安定して行われる。
【００１７】
一方、アーム４が一点鎖線で示すように逆方向へ旋回した場合にも、上記の場合と同様に、接続用配管１４ａ，１４ｂはブーム４の旋回変位に追従して変位させられる。
【００１８】
このように、接続用配管装置９の採用により、ディストリビュータ本体２のブーム４の旋回操作に伴う輸送管１の基端部１ａとコンクリートポンプ７の供給配管８の先端部８ａとの間の位置ずれを、ゴムホース及び揚重機の使用や供給配管８の段取替えを行うことなく、接続用配管１４ａ，１４ｂ自体の展張、折り曲げ変位で吸収することができる。したがって、ブーム４を自由に旋回させることができるので、打設作業の合理化を図ることができると共に、ランニングコストを低減することができる。因に、アーム１３の長さや移動台１７の長さ等にも依るが、図２において輸送管１の基端部１ａを二点鎖線と一点鎖線で示す如く、ブーム４の旋回角度を１８０°程度までは無理なく設定することができる。
【００１９】
なお、上記実施の形態では、アーム１３の荷重を支持して回動を安定して行わせるために、アーム１３の下面に、レール１０の上面に当接させるようにライナ１８を取り付けた場合を示したが、ライナ１８に代えて車輪の如き転動体を取り付けるようにしてもよいこと、その他本発明の要旨を逸脱しない範囲内において種々変更を加え得ることは勿論である。
【００２０】
【発明の効果】
以上述べた如く、本発明のクローラ式ディストリビュータの接続用配管装置によれば、次の如き優れた効果を発揮する。
(1) コンクリートポンプから供給配管内に吐出されたコンクリートを、ディストリビュータ本体に有する上部旋回体及びブームに沿わせた輸送管を通して打設するようにしてあるクローラ式ディストリビュータにおける上記ディストリビュータ本体の後方位置に、架台を設置し、該架台の上面部中心位置に、先端部を水平方向へ張り出させるようにしたアームの基端部を水平方向へ回動自在に支持させて、該アーム上に、接続用配管を保持させ、又、上記ディストリビュータ本体と架台との間に移動台を配置して、該移動台上に接続用配管を保持させ、且つ該移動台上の接続用配管の先端部をディストリビュータ本体の輸送管の基端部に、又、移動台上の接続用配管の基端部をアーム上の接続用配管の先端部に、それぞれ水平方向へ回動自在に連結し、更に、上記アーム上の接続用配管の基端部を、アームの回動中心上の位置にて供給配管の先端部に、水平方向へ回動自在に連結した構成としてあるので、上部旋回体によるブームの旋回操作に伴い、揚重機の使用や配管の段取替えを行うことなく、接続用配管を追従変位させることができて、輸送管とコンクリートポンプの供給配管との位置ずれを吸収させることができ、これにより、ブームの旋回操作性を向上させることができて、コンクリート打設作業の合理化を図ることができる。
(2) 高価で且つ頻繁に交換の必要がある接続用のゴムホースを使用しないことから、ランニングコストを低減することができる。
(3) 架台の上面部に円形のレールを設け、且つ該レールに係合させるようにするライナ又は転動体をアームの中間部に取り付けた構成とすることにより、アームを安定して回動変位させることができる。
【図面の簡単な説明】
【図１】本発明のクローラ式ディストリビュータの接続用配管装置の実施の一形態を示す概要図である。
【図２】図１の平面図である。
【図３】クローラ式ディストリビュータの一例を示す概略図である。
【符号の説明】
１  輸送管
１ａ  基端部
２  ディストリビュータ本体
３  上部旋回体
４  ブーム
７  コンクリートポンプ
８  供給配管
８ａ  先端部
１０  レール
１１  架台
１３  アーム
１４ａ，１４ｂ  接続用配管
１５  回転継手
１７  移動台
１８  ライナ
【図１】
0003671361.tif 000002
【図２】
0003671361.tif 000003
【図３】
0003671361.tif 000004